(57)【特許請求の範囲】
【請求項１】
発光部と、
支持部材を備え、前記発光部は前記支持部材に連結されており、さらに、
クランプを備え、前記クランプは、前記支持部材に連結された第一の端と、第一のアームと、前記第一のアームに旋回可能に連結された第二のアームと、前記クランプの第二の端にあるグリップ部を備えており、前記第二の端は前記第一の端の反対側にあり、さらに、
前記第一のアームと前記第二のアームの少なくとも一方の内部に配置された少なくとも一つのバッテリーコンパートメントを備えており、
前記クランプは、実質的に円筒状に形づくられている、照明デバイス。
【請求項２】
前記第一のアームと前記第二のアームは互いにバイアス装着されており、その結果、前記クランプは閉位置の方へ傾けられている、請求項１の照明デバイス。
【請求項３】
前記第一のアームと前記第二のアームはスプリングで一緒にバイアスされている、請求項２の照明デバイス。
【請求項４】
前記発光部は前記支持部材に旋回可能に装着され、前記支持部材は前記クランプに回転可能に連結されている、請求項１の照明デバイス。
【請求項５】
前記第一のアームと前記第二のアームの少なくとも一方は、その表面に配置されたオーバーモールドを有している、請求項１の照明デバイス。
【請求項６】
前記第二のアームはその上に配置されたラッチを有しており、前記ラッチは、前記グリップ部の反対側の前記第二のアームの端部を前記第一のアームに連結し、その結果、前記クランプは開位置になる、請求項１の照明デバイス。
【請求項７】
前記クランプは、前記第一のアームと前記第二のアームの間に中空部を有している、請求項１の照明デバイス。
【請求項８】
発光部を有しているヘッドと、
前記ヘッドに回転可能に連結された第一の端を備えているハンドルを備えており、前記ハンドルは、第一のアームと第二のアームを備えており、前記第二のアームは前記第一のアームに旋回可能に連結されており、さらに、
前記第一のアームと前記第二のアームの少なくとも一方の内部に配置された少なくとも一つのバッテリーコンパートメントを備えており、
前記第一のアームと前記第二のアームは、前記第一の端の反対側の前記ハンドルの第二の端にグリップ部を備えているクランプを形成している、照明デバイス。
【請求項９】
前記第一のアームと前記第二のアームはクランプを形成し、前記第一のアームと前記第二のアームはバイアス装着されており、その結果、前記クランプは閉位置の方へ傾けられている、請求項８の照明デバイス。
【請求項１０】
前記クランプは、実質的に円筒状に形づくられている、請求項８の照明デバイス。
【請求項１１】
前記ハンドルは、前記第一のアームと前記第二のアームの間に中空部を有している、請求項８の照明デバイス。
【請求項１２】
発光部を備えているヘッドと、
前記ヘッドに回転可能に連結されたハンドルを備えており、
前記ハンドルは、そこに一体的に形成されたクランプを備えており、前記クランプは、第一のアームと、前記第一のアームに連結された第二のアームを備えており、
前記第一のアームと前記第二のアームは、前記第一の端の反対側の前記ハンドルの第二の端にグリップ部を形成しており、
前記クランプは、実質的に円筒状に形づくられている、照明デバイス。
【請求項１３】
前記第一のアームと前記第二のアームは互いにバイアス装着されており、その結果、前記クランプは閉位置の方へ傾けられている、請求項１２の照明デバイス。
【請求項１４】
前記第一のアームと前記第二のアームの少なくとも一方の内部に配置された少なくとも一つのバッテリーコンパートメントをさらに備えている、請求項１２の照明デバイス。
【請求項１５】
前記ヘッド内に配置されたバッテリーコンパートメントをさらに備えている、請求項１２の照明デバイス。
【請求項１６】
前記ハンドルは、前記第一のアームと前記第二のアームの間に中空部を有している、請求項１２の照明デバイス。
【発明の詳細な説明】
【技術分野】
【０００１】
本開示は、そこに一体化されたクランプを有しているハンドルを有している懐中電灯に関する。
【背景技術】
【０００２】
懐中電灯のユーザーの間には、ある種の「ハンズフリー」能力を有し、その結果、懐中電灯が作業空間を照明しながら、ユーザーが両手をタスクの作業に利用できる著しいニーズがある。しかしながら、いくつかの現在入手可能な懐中電灯は、この便利さを提供するために懐中電灯に添付され、多くの空間を取ることを必要とする追加のかさばった機構を必要とする。さらに、空間を照明することが可能であり、ユーザーによるハンズフリー操作を可能にする他の現在入手可能な懐中電灯はポータブルでなく、ユーザーによって容易に操作され、持ち運ばれることが可能でない。両方の能力を同時に提供することが可能である入手可能な懐中電灯はない。
【０００３】
したがって、ユーザーにハンズフリー操作を提供しながら同時にポータブル能力を提供することが可能である懐中電灯のニーズがある。
【発明の概要】
【０００４】
本開示は、物体に添付されることが可能であるクランプを照明デバイスのハンドルに一体化する懐中電灯などの新規な照明デバイスを提供することによって、先行技術の懐中電灯のこれらおよび他の不利益を解決する。これは、懐中電灯がハンズフリーまたはポータブルモードのいずれかで使用されることを可能にする。
【０００５】
したがって、一実施形態では、本開示は照明デバイスを提供する。照明デバイスは、発光部と支持部材を備え、前記発光部は前記支持部材に連結されており、さらに、前記支持部材に連結された一端と、グリップ部を有している反対端を有しているクランプを備えている。
【０００６】
本開示はまた、発光部を有しているヘッドと、ヘッドに操作可能に連結されたマウントと、マウントに操作可能に連結されたハンドルを備えており、ハンドルが第一のアームと第二のアームを備えており、第二のアームが第一のアームに旋回的に連結されている照明デバイスを提供する。
【０００７】
本開示はさらに、発光部を備えているヘッドと、ヘッドに回転可能に連結されたハンドルを備えている照明デバイスを提供する。ハンドルは、そこに一体的に形成されたクランプを備えている。
【図面の簡単な説明】
【０００８】
【図１】図１は、本開示の懐中電灯の上面図である。
【図２】図２は、図１の懐中電灯の底面図である。
【図３】図３は、図１の懐中電灯についての右側面図である。
【図４】図４は、閉位置にあるクランプを示している図１の懐中電灯の右側面図である。
【図５】図５は、本開示の懐中電灯の第二の実施形態の底面左側斜視図である。
【図６】図６は、図５の懐中電灯の、Ａ−Ａ線に沿って見た、鉛直断面図である。
【図７】図７は、閉位置にあるクランプを示している図１の懐中電灯の第二の右側面図である。
【図８】図８は、図１の懐中電灯の分解組立図である。
【発明を実施するための形態】
【０００９】
開示の詳細な説明
図１〜８を参照すると、本開示の懐中電灯１０が示されている。懐中電灯１０はヘッド２０とハンドル７０を有している。ハンドル７０はさらにメインアーム７２とクランプアーム７４を備えており、それらは、図３に示されるように、互いに閉位置にバイアスされるような方法で装着されている。メインアーム７２とクランプアーム７４は、ユーザーによって一緒に把持されて握りつぶされることが可能であり、メインアーム７２の端部とクランプアーム７４の端部によって規定されたクランプ７６が開き、固定物体に取り付けられることが可能である。クランプ７６が閉位置にあるとき、メインアーム７２とクランプアーム７４はユーザーによって容易に保持され、懐中電灯１０をポータブルとすることが可能である。
【００１０】
したがって、本開示は、固定物体にそれを取り付けることによってユーザーがハンズフリー操作で使用することが可能であり、またユーザーにとってポータブルのままである懐中電灯１０を提供する。クランプ７６はハンドル７０に一体化されており、その結果、ハンドル７０は、ポータブル使用のためのユーザーのためのグリップの役を兼ねることが可能であり、静止物体に懐中電灯１０を添付するために使用されることも可能である。これは、静止物体に懐中電灯を添付する厄介な方法を使用し、ポータブルでない先行技術の懐中電灯を超える著しい改善である。メインアーム７２とクランプアーム７４がハンドル７０のための実質的円筒状本体を形成することが可能であるので、本開示の懐中電灯１０は、クランプ７６が閉じられたときに従来の懐中電灯に似た輪郭を有していることが可能である。
【００１１】
本開示はまた、ユニークなバッテリーハウジング７８とバッテリーカバー８０を提供し、それらは、一実施形態では、メインアーム７２に一体化されることが可能である。これはまた、バッテリーを保持するためのかさばった管または円筒をしばしば必要とする先行技術の懐中電灯を超える著しい利点を示す。
【００１２】
懐中電灯１０を説明することの容易さのために、単語「前」、「後ろ」、「上」、「底」は、メインアーム７２をクランプアーム７４の上にして、ユーザーがヘッド２０を物体に向けた視点から使用されている。これらの方向の用語は懐中電灯１０を説明するためだけに使用されており、以下で論じられる特徴の解釈を限定することを意味していない。
【００１３】
図８を明確に参照すると、懐中電灯１０とハンドル７０の分解組立図が示されている。前に論じられたように、メインアーム７２とクランプアーム７４は閉位置にバイアスされている。スプリング、アクチュエーターまたは他のデバイス８２が、メインアーム７２とクランプアーム７４の間の張力を作り出し、バイアスをもたらすために、図示されるようにメインアーム７２とクランプアーム７４の間に置かれることが可能である。メインアーム７２とクランプアーム７４とデバイス８２は、メインアーム７２とクランプアーム７４とデバイス８２と一対のスペーサー８４と一対のピンカバー８３に対応している穴を通る（図示しない）旋回ピンで互いに連結されることが可能である。スペーサー８４とカバー８３は、デバイス８２を安定させるために使用されることが可能である。
【００１４】
図示の実施形態では、デバイス８２はねじりばねである。しかしながら、本開示は、引張ばね、引張りコイルばね、圧縮ばね、一体プラスチックばね、ワイヤーまたはコイルスばね、板ばねなど、メインアーム７２とクランプアーム７４の間に張力を作り出すことが可能である任意のデバイス８２を考慮している。これらのデバイスは、クランプアーム７４の回転の軸の周りに、または別の個所に配置されていることが可能である。
【００１５】
したがって、ユーザーはハンドル７０をつかみ、クランプアーム７４の前端をメインアーム７２の方へ握りつぶして、クランプ７６を開くことが可能である。それから、クランプ７６は物体に添付されることが可能であり、懐中電灯１０のハンズフリー操作を可能にする。あるいは、ユーザーがハンドル７０をつかむまたは保持し、ポータブル手法で懐中電灯１０を使用することが可能である。ハンドル７０のこの二重の能力は、先行技術で見つからない便利さを提供する。物体に添付されることが可能であるクランプを有している現在入手可能な懐中電灯は、ポータブル使用のために設計されていない。しかしながら、ポータブルである現在入手可能な懐中電灯は、物体に添付される能力を有していない。
【００１６】
メインアーム７２および／またはバッテリーカバー８０の上端は、そこに取り付けられるオーバーモールド７３を有していることが可能であり、ハンドル７０のより容易な把持を提供する。クランプアーム７４も、オーバーモールド７５を底面に有していることが可能であり、また、クランプ７６を形成するメインアーム７２とクランプアーム７４の端がそれぞれオーバーモールド７７で覆われていることが可能であり、それが添付されるものの表面にクランプ７６が跡を付けるのを防止する。オーバーモールド７３と７５と７７はすべて、熱可塑性ゴムまたは他のエラストマーなどの材料で作られることが可能である。
【００１７】
メインアーム７２はまた、それに接続されたバッテリーハウジング７８とバッテリーカバー８０を有している。バッテリーカバー８０は、メインアーム７４の上面の穴を通ってバッテリーハウジング７８に連結することが可能である。図示の実施形態では、バッテリーカバー８０は、バッテリーハウジング７９の開口７９に接合して、二つのコンポーネントを一緒に保持し、バッテリー７１が収容される空間を規定することが可能であるクラスプ８１を有していることが可能である。バッテリーハウジング７８も、スナップフィットまたは摩擦フィット連結などの他の方法でメインアーム７２に連結されることが可能である。図３で見られるように、バッテリーハウジング７８とバッテリーカバー７８がメインアーム７２に連結されたとき、メインアーム７２の薄い輪郭は悪影響を及ぼされない。懐中電灯１０のこの小型の特徴は、メインアーム７２とクランプアーム７４の間の空間が実質的に中空のままであることを可能にし、それは、上述した方法で、物体に添付される懐中電灯１０の能力を促進する。これは、現在入手可能な懐中電灯に対する著しい改善であり、それは、ハンドル内の空間のほとんどの部分を占拠するかさばったバッテリーコンパートメントをしばしば必要とする。
【００１８】
図示の実施形態では、バッテリーハウジング７８は三本のトリプルＡ（ＡＡＡ）バッテリー７１を収納する。しかしながら、本開示は、異なるいくつかのバッテリー７１または単一のバッテリー７１が懐中電灯１０の中で使用されることが可能であることを考慮している。より小さいバッテリーは、メインアーム７２に限定されない懐中電灯１０内のいくつかの個所に置かれることが可能である。たとえば、バッテリー７１は、クランプアーム７４またはヘッド２０内に配置されたコンパートメントに配置されることも可能である。バッテリー７１は、メインアーム７２内に、ヘッド２０に近い前端８８に配置されることも可能である。
【００１９】
図５と６を明確に参照すると、一実施形態では、クランプアーム７４は、その底面に配置されたラッチ８５を有していることも可能である。ラッチ８５は、クランプアーム７４の中空前端内に配置される前端８６を有していることが可能である。ラッチ８５がユーザーによって前方方向に押されたとき、前端８６はバッテリーハウジング７８および／またはメインアーム７２に配置されることが可能であるキャビティ８７に係合する。ラッチ８５がこのようにキャビティ８７に係合したとき、クランプ７６は、図４または７に示されるように、開位置に残り、懐中電灯１０は表面に置かれることが可能である。これは、上述したものに加えて、懐中電灯１０の操作のまた別のモードを提供する。本開示は、クランプ７６を開位置に維持するための他の方法も考慮している。たとえば、ラッチ８６と同様の機構が、バッテリーハウジング７８および／またはメインアーム７２に配置されることが可能である。デバイス８２またはスペーサー８４の近傍で、第一のアーム７２および／またはクランプアーム７４に配置されたそのような機構があってもよい。
【００２０】
ボタン膜９１とボタンベゼル９２が、メインアーム７２の前端８８に、たとえば摩擦またはスナップフィット連結で連結されている。ボタン膜９１は、以下に論じられる方法で、バッテリーハウジング７８内に配置されたバッテリーをヘッド２０内に配置された（図４に示された）光源３２と電気的通信状態に選択的に置くことが可能である。したがって、ユーザーは、ボタン膜９１を押すことによって光源３２をオンおよびオフにすることが可能である。
【００２１】
前端８８は、懐中電灯１０の正面に向かう方向で下方に曲がっていることが可能であり、その結果、前端８８の平たん部８９は懐中電灯１０の正面に面している。バッテリーハウジング７８の輪郭は、前端８８のそれを反映していることが可能である。バッテリーハウジング７８はまた唇９０を有していることが可能であり、それは、前端８８の先端の周りを包み、図示のように平たん部８９に係合し、したがって、バッテリーハウジング７８とバッテリーカバー８０の間に配置されたコンパートメントを素子の外から覆っている。
【００２２】
ヘッド２０は、本体２２とテーパー端２４を有している。本体２２は、実質的円筒状輪郭を有しており、テーパー端２４はハンドル７０の方向に狭くなっている。本体２２はまた、それに連結されているベゼル２６を有している。組み立てられたとき、ヘッド２０は、その中に配置されたレンズ２８とカバー２９とレンズハウジング３０と光源３２を有する。これらのコンポーネントは、懐中電灯１０の光学部品と連結され、適切なビームがヘッド２０の外に方向付けられることを実現する。カバー２９はアクリル樹脂で作られることが可能である。ベゼル２６は、レンズ２８とカバー２９とレンズハウジング３０と光源３２をおおって適合し、これらのコンポーネントをヘッド２０内に包含する。光源３２は発光ダイオード（ＬＥＤ）であることが可能である。
【００２３】
本体２２は、それに連結されている旋回ホイール３４を有している。旋回ホイール３４は、本体２２に連結または固定される分離したコンポーネントであることが可能であり、または本体２２を備えた一つのコンポーネントとして一体的に形成することが可能である。ヘッド２０はさらにマウント４０を有してお入り、それには旋回ホイール３４が操作可能に連結されている。マウント４０は、旋回部４２と回転部４４を有していることが可能である。回転部４４は第一のアーム４５と第二のアーム４６を有していることが可能であり、それらはいずれも中空である。（図示しない）旋回ピンが、第一のアーム４５と第二のアーム４６の中空部と、また旋回ホイール３４内の穴３５を通り抜けることが可能である。このようにして、ヘッド２０は、マウント４０の回転部４４から離れる、またそれに向かって戻る方向に、旋回ピンの長手軸の周りに回転することが可能である。
【００２４】
一実施形態では、旋回ホイール３４は、上述した方法で旋回部４２の周りに回転することが可能であり、ユーザーは回転の弧に沿った任意の位置にヘッド２０を置くことが可能である。旋回ホイール３４と第一のアーム４５と第二のアーム４６の間の適当な摩擦は、ヘッド２０が所望の位置にとどまることを実現する。別の実施形態では、旋回ホイール３４は、旋回ホイール３４の片側または両側に、上昇内径部３６と、その上に配置された複数のバンプ３７を有していることが可能である。第一のアーム４５および／または第二のアーム４６は、そこに配置された突き錐４８を有していることが可能である。旋回ホイール３４が上述した方法でマウントの旋回部４２に操作可能に連結されているとき、突き錐４８は、内径部３６のバンプ３７の間に設置された溝に係合することが可能である。このようにして、ヘッド２０の旋回の弧に沿って一つ以上の「停止」があることが可能である。
【００２５】
マウント４０の回転部４４は、旋回部４２から分離して形成され、それに連結されることが可能である。あるいは、両者は、一つのコンポーネントとして一体的に形成されることが可能である。回転部４４は、ハンドル７０のメインアーム７２に回転可能に連結されていることが可能であり、ハンドル７０の長手軸の周りに回転することが可能である。上昇縁９３は、メインアーム７２の平たん部８９に配置されていて、回転部４４の下側の（図示しない）溝に係合していることが可能である。一実施形態では、平たん部８９は、その上に配置された一対の停止９４を有しており、それらは、回転部４４の回転を制限することが可能である。
【００２６】
マウント４０の回転部４４はまた、その下側に配置された（図示しない）内径部を有し、それは、その上に配置された複数の溝を備えていることが可能である。平たん部８９はまた、その上に配置された第二の突き錐９５を有していることが可能であり、それは、回転部４４の内径部の溝に係合することが可能である。このようにして、回転部４４は、回転の弧に沿った多くの離散した停止を有していることが可能である。別の実施形態では、回転部４４は、ユーザーによって回転の弧に沿った任意の位置に置かれることが可能である。回転部４４はまた、その上に配置された複数のグリップ４９を有していることが可能であり、それは、マウント４０の調節に関してユーザーを支援することが可能である。
【００２７】
回転部４４の内径部はまた、そこに配置された一対の（図示しない）リード穴を有していることが可能である。光源３２は、これらのリード穴を通り、メインアーム７２の平たん部８９に配置されたセンター穴９６を通り、ボタン膜９１とバッテリーに達する電気的リード線を介して、バッテリーハウジング７８内に配置されたバッテリーと電気的通信状態にあることが可能である。
【００２８】
上記に説明されたコンポーネントはいずれも、アクリロニトリルブタジエンスチレン（ＡＢＳ）、ナイロンまたは他のプラスチックなどの材料で作られることが可能であり、あるいは鋳造または型押し金属で作られることが可能である。
【００２９】
本開示は一つ以上の代表的な実施形態を参照して説明されているが、本開示の要旨から逸脱することなく、さまざまな変更が行なわれてよく、また、それの要素の代わりに等価物が用いられてよいことは、この分野の当業者によって理解されるであろう。さらに、その要旨から逸脱することなく、開示の教示に特定の状況または材料を適用させるために多くの修正がなされてよい。したがって、本開示は、この開示を実行するために考慮された最良のモードとして開示された特定の実施形態に限定されないが、請求項の範囲の要旨内にあるすべての実施形態を含むことが意図されている。
以下に、本願出願の当初の特許請求の範囲に記載された発明を付記する。
［１］発光部と、
支持部材を備え、前記発光部は前記支持部材に連結されており、さらに、
前記支持部材に連結された一端と、グリップ部を有している反対端を有しているクランプを備えている、照明デバイス。
［２］前記クランプは、第一のアームと、前記第一のアームに旋回可能に連結された第二のアームを有している、［１］の照明デバイス。
［３］前記第一のアームと前記第二のアームは互いにバイアス装着されており、その結果、前記クランプは閉位置の方へ傾けられている、［２］の照明デバイス。
［４］前記第一のアームと前記第二のアームはスプリングで一緒にバイアスされている、［３］の照明デバイス。
［５］前記第一のアームは、そこに配置されたバッテリーコンパートメントを有している、［２］の照明デバイス。
［６］前記発光部は前記支持部材に旋回可能に装着され、前記支持部材は前記クランプに回転可能に連結されている、［１］の照明デバイス。
［７］前記第一のアームと前記第二のアームの少なくとも一方は、その表面に配置されたオーバーモールドを有している、［２］の照明デバイス。
［８］前記第二のアームはその上に配置されたラッチを有しており、前記ラッチは、前記グリップ部の反対側の前記第二のアームの端部を前記第一のアームに連結し、その結果、前記クランプは開位置になる、［２］の照明デバイス。
［９］発光部を有しているヘッドと、
前記ヘッドに回転可能に連結されたハンドルを備えており、前記ハンドルは、第一のアームと第二のアームを備えており、前記第二のアームは前記第一のアームに旋回可能に連結されている、照明デバイス。
［１０］前記第一のアームと前記第二のアームはクランプを形成し、前記第一のアームと前記第二のアームはバイアス装着されており、その結果、前記クランプは閉位置の方へ傾けられている、［９］の照明デバイス。
［１１］前記第一のアームは、そこに配置されたバッテリーコンパートメントを備えている、［１０］の照明デバイス。
［１２］発光部を備えているヘッドと、
前記ヘッドに回転可能に連結されたハンドルを備えており、前記ハンドルは、そこに一体的に形成されたクランプを備えている、照明デバイス。
［１３］前記クランプは、第一のアームと、前記第一のアームに連結された第二のアームを備えている、［１２］の照明デバイス。
［１４］前記第一のアームと前記第二のアームは互いにバイアス装着されており、その結果、前記クランプは閉位置の方へ傾けられている、［１３］の照明デバイス。
［１５］前記第一のアームは、そこに配置されたバッテリーコンパートメントを有している、［１４］の照明デバイス。
［１６］前記ハンドルは、実質的に円筒状に形づくられている、［９］の照明デバイス。
［１７］前記ハンドルは、実質的に円筒状に形づくられている、［１２］の照明デバイス。
［１８］前記発光部内に配置されたバッテリーコンパートメントをさらに備えている、［２］の照明デバイス。
［１９］前記ヘッド内に配置されたバッテリーコンパートメントをさらに備えている、［９］の照明デバイス。
［２０］前記ヘッド内に配置されたバッテリーコンパートメントをさらに備えている、［１２］の照明デバイス。
【図１】
0005596019.tif 000002
【図２】
0005596019.tif 000003
【図３】
0005596019.tif 000004
【図４】
0005596019.tif 000005
【図５】
0005596019.tif 000006
【図６】
0005596019.tif 000007
【図７】
0005596019.tif 000008
【図８】
0005596019.tif 000009